(57)【特許請求の範囲】
【請求項１】
互いに流体連通するように、第１の端部から離間され、大きくされたフランジを備えた第１の導管と、第２の導管とを結合するためのクイックコネクタであって、
前記第１の導管の第１の端部を受ける第１の孔の部分を備えた貫通孔を有する第１のハウジングと、
この第１のハウジングに回転可能かつ軸方向に移動不可能なように接続され、第１の導管を中に通すように受けるために第１のハウジングの第１の孔の部分と軸方向に整列され得る貫通孔を有し、第２の導管が第１のハウジングに装着される第２のハウジングと、
前記第１のハウジングに第１の導管をロックするように結合させるための、第２のハウジング内に設けられ得る保持装置と、
前記第１のハウジングと第２のハウジングとを回転可能に相互連結させるために、第１のハウジング及び第２のハウジングに共働するように支持された設置手段とを具備し、
この設置手段は、
第１のハウジング上に形成された起立環状フランジと、
前記第２のハウジングの一端の環状肩部とを有し、
前記フランジは、第１のハウジングが第２のハウジングの一端を通って軸方向に延びた状態で、前記第２のハウジングの肩部に対して回転可能に位置されており、更に、
第１のハウジングと第２のハウジングとを結合された状態で回転可能に維持するように、この第１のハウジングのフランジから離間され、第１のハウジング内に固定的に装着されている上ハットを更に有するクイックコネクタ。
【請求項２】
前記上ハットを第２のハウジングに固定するための固定手段を更に具備する請求項１のクイックコネクタ。
【請求項３】
前記固定手段は、
前記第２のハウジングに、第２のハウジングの一端の近くに形成された少なくとも１つの孔を有し、また、前記上ハットは、
少なくとも１つの脚部と、この少なくとも１つの脚部上に第２のハウジングの孔とラッチ係合可能なように支持された突出部とを有している請求項２のクイックコネクタ。
【請求項４】
前記固定手段は、
第２のハウジング内の所定位置に圧入された前記上ハットを有する請求項１のクイックコネクタ。
【請求項５】
前記一端に対する対向端を有する前記第２のハウジングと、
この第２のハウジングを通って対向端から一端へと挿入可能な前記第１のハウジングとを具備する請求項１のクイックコネクタ。
【請求項６】
前記一端を通って第２のハウジング中に挿入可能な第１のハウジングを更に具備する請求項１のクイックコネクタ。
【請求項７】
前記第１のハウジングの前記一端のフランジ形成された複数のスロットを更に具備し、これらスロットは、第１のハウジングの一端のフランジが第２のハウジングの一端内の肩部に近づくまで、第１のハウジングの一端が、第２のハウジングの一端を通って挿入する間に、径方向内方へ曲がるのを可能にする請求項６のクイックコネクタ。
【請求項８】
互いに流体連通するように、第１の端部から離間され、大きくされたフランジを備えた第１の導管と、第２の導管とを結合するためのクイックコネクタであって、
前記第１の導管の第１の端部を受ける第１の孔の部分を備えた貫通孔を有する第１のハウジングと、
この第１のハウジングに回転可能かつ軸方向に移動不可能なように接続され、第１の導管を中に通すように受けるために第１のハウジングの第１の孔の部分と軸方向に整列され得る貫通孔を有し、第２の導管が第１のハウジングに装着される第２のハウジングと、
前記第１のハウジングに第１の導管をロックするように結合させるための、第２のハウジング内に設けられ得る保持装置と、
第１のハウジングと第２のハウジングとの、互いに対する、付加的なロックされる回転可能な位置付けのために、第１のハウジングと第２のハウジングとの間に共働するように位置された割出し手段とを具備するクイックコネクタ。
【請求項９】
前記割出し手段は、少なくとも１つの径方向に延び、第１及び第２のハウジングの一方に形成された突出部と、
この突出部と係合可能な第１及び第２のハウジングの他方に形成された少なくとも１つの孔とを有する請求項８のクイックコネクタ。
【請求項１０】
前記少なくとも１つの孔と、少なくとも１つの突出部とは、夫々に、複数の孔と複数の突出部として形成されている請求項９のクイックコネクタ。
【請求項１１】
第２のハウジングの貫通孔に対して横方向に及びこれと交差するように形成された１対の対向した孔によって形成された第２の孔を有し、この第２の孔を通って保持装置が設けられ得る前記第２のハウジングと、
中央端部から延びた対向した脚部を有する前記保持装置と、
この保持装置を第２のハウジング内にロックするように設けるために、第２のハウジングの、対向した孔の近くの端部と係合可能である、脚部の突出部と、
対向した孔の一方のみを通って軸方向に延び、この孔を、保持装置の一方の脚部の端部を夫々に受ける１対の小さな孔に区分し、保持装置を第２のハウジングから取り外す際に保持装置の脚部の内方への曲げを制限するウェブとを更に具備する請求項１のクイックコネクタ。
【請求項１２】
貫通孔に対して横方向の及びこれに交差した第２の孔を有する前記第２のハウジングと、
第１の軸方向の孔に設けられたシール部材と、
軸方向の孔で、このシール部材の近くに設けられた上ハットと、
この上ハットが第２のハウジング内に設けられているとき第２のハウジングの第２の孔に対して開く上ハットの一端から内方へ延び、第１の導管上のフランジを受ける環状凹部と、
第１の導管が第１のハウジングから軸方向に解放されないように第１の導管のフランジの近くの第２の孔に配置され得る側端を備えた保持装置とを具備する請求項１のクイックコネクタ。
【請求項１３】
互いに流体連通するように、第１の端部から離間され、大きくされたフランジを備えた第１の導管と、第２の導管とを結合するためのクイックコネクタであって、
前記第１の導管の第１の端部を受ける第１の孔の部分を備えた貫通孔を有する第１のハウジングと、
この第１のハウジングに回転可能かつ軸方向に移動不可能なように接続され、第１の導管を中に通すように受けるために第１のハウジングの第１の孔の部分と軸方向に整列され得る貫通孔を有し、第２の導管が第１のハウジングに装着される第２のハウジングと、
前記第１のハウジングに第１の導管をロックするように結合させるための、第２のハウジング内に設けられ得る保持装置と、
前記第２の導管が第１のハウジングの第２の端に設けられているとき第２の導管の内面をシールして係合するように、第１のハウジングの第２の端から離間され、径方向に大きくされた部分と、キャップの第２の端との間で、第１のハウジングの第２の端に設けられたシールと、
前記第２の導管を第１のハウジングに結合する間、第１のハウジングの第２の端上の第２の導管の内面をスムーズにガイドするために、第１のハウジングの第２の端上に設けられ得るキャップと、
このキャップを、キャップが第２の導管を前記シール全体に渡って案内するように、第１のハウジングの第２の端上に固定的に設けるためのスナップ接続手段と具備するクイックコネクタ。
【請求項１４】
前記スナップ接続手段は、
径方向外方に延びた突出部と凹部のうち一方を有する第１のハウジングの第２の端部と、
スムーズな外面と貫通孔とを有する円錐形のキャップと、
キャップを第１のハウジングに固定させるように、第１のハウジングの凹部と突出部のうち一方と係合可能な、キャップスナップの内側に形成された凹部と突出部のうち一方とを更に有する請求項１３のクイックコネクタ。
【請求項１５】
前記第１のハウジングの第２の端を通って延びている孔の直径より少なくとも大きい直径を有するキャップ内の貫通孔を更に具備する請求項１４のクイックコネクタ。
【請求項１６】
前記キャップ内の貫通孔は、
キャップの第１の端から延びた第１の孔の部分と、
キャップの第２の端から延びた第２の孔の部分とを有し、この第２の孔の部分は、第１の孔の部分より大きい直径を有する請求項１５のクイックコネクタ。
【請求項１７】
キャップ内の第１及び第２の孔の接続部に形成された肩部を更に具備し、この肩部は、第１のハウジングの第２の端上のキャップの設置距離を制限するために第１のハウジングの第２の端と係合可能である請求項１６のクイックコネクタ。
【請求項１８】
互いに流体連通するように、第１の端部から離間され、大きくされたフランジを備えた第１の導管と、第２の導管とを結合するためのクイックコネクタであって、
前記第１の導管の第１の端部を受ける第１の孔の部分を備えた貫通孔を有する第１のハウジングと、
この第１のハウジングに回転可能かつ軸方向に移動不可能なように接続され、第１の導管を中に通すように受けるために第１のハウジングの第１の孔の部分と軸方向に整列され得る貫通孔を有し、第２の導管が第１のハウジングに装着される第２のハウジングと、
前記第１のハウジングに第１の導管をロックするように結合させるための、第２のハウジング内に設けられ得る保持装置とを具備し、
前記第１のハウジングは、前記第１の端に対向する第２の端を有し、
前記第２の導管は、前記第１のハウジングの第２の端に設けられるようになっており、更に、
前記第１のハウジングの第２の端に形成され、第１のハウジングと第２の導管とを回転しないように固定するために第２の導管の内面と係合可能にされた、少なくとも１つの軸方向、径方向外方に延びた非環状の突出部を更に具備するクイックコネクタ。
【請求項１９】
前記少なくとも１つの突出部は、
第１のハウジングの第２の端に、周囲で互いに離間され、径方向外方に延びた複数の突出部を有する請求項１８のクイックコネクタ。
【請求項２０】
第１の端の近くに外フランジを有する第１の導管と、
この第１の導管の第１の端部を受けるように、対向した第１の端と第２の端との間に延びている第１の軸方向の孔を備えたハウジングと、
この第１の軸方向の孔と交差する、前記ハウジング内に形成された横方向の孔と、
ハウジングのこの横方向の孔に受けられ、端壁によって分けられた１対の側脚部と、ハウジングの第１の孔からの第１の導管の軸方向の解放を防ぐように第１の導管のフランジと軸方向に対向した各側脚部上の第１の表面とを有する保持装置と、
第１の軸方向の孔に配置されたシール部材と、
このシール部材の近くの軸方向の孔に配置された上ハットと、
この上ハットがハウジング内に設けられると、前記ハウジング内の第２の孔に対して開く上ハットの一端から内方に延び、また、第１の導管がハウジング中へ完全に挿入されたときには、第１の導管のフランジを受ける、環状凹部とを具備するクイックコネクタ。
【請求項２１】
前記上ハットの環状凹部の軸方向の長さは、第１の導管がハウジング中へ完全に挿入されたときには、上ハットの環状凹部の第１の導管の全ての大きくされたフランジを実質的に収容するために、第１の導管の大きくされたフランジの軸方向の長さと実質的に同じである請求項２０のクイックコネクタ。
【請求項２２】
前記ハウジング内に保持装置をロックするように設けるために横方向の孔の近くのハウジングの端と係合可能な保持部材の側脚部の突出部と、
対向した孔の一方を通って軸方向に延び、孔を、保持装置の一方の脚部の端部を夫々に受ける１対の小さな孔に分け、保持装置がハウジングから分離されるときに保持装置の脚部が内方に曲がる量を制限するウェブとを更に具備する請求項２０のクイックコネクタ。
【請求項２３】
ハウジングの第１の端の上に形成され、第２の導管とハウジングの第１の端部との間の回転を止めるように、このハウジングの第１の端の上に強いられる第２の導管の内面と係合可能な、軸方向かつ径方向外方に延びた非環状の複数の突出部を更に具備する請求項２０のクイックコネクタ。
【請求項２４】
前記ハウジングの一端は、径方向外方に延びている突出部を有し、更に、
スムーズな外面と貫通孔とを備えた円錐形のキャップと、
このキャップをハウジングに固定させるようにハウジングの突出部と係合可能な、キャップスナップの内側に形成された凹部とを更に具備する請求項２０のクイックコネクタ。
【請求項２５】
前記ハウジングの一端は、径方向外方に延びたフランジを有し、更に、
スムーズな外面と貫通孔とを有する円錐状のキャップと、
この円錐状のキャップの内側とハウジングの一端とのうちの一方に形成された環状凹部とを具備し、
径方向外方に延びた突出部と径方向内方に延びた凹部との一方が、ハウジングの一端に形成されている請求項２４のクイックコネクタ。
【請求項２６】
第１の端の近くに外フランジを有する第１の導管と、
この第１の導管の第１の端を受けるように、対向した第１及び第２の端の間に延びた第１の軸方向の孔を備えたハウジングと、
第１の導管がハウジング内の第１の孔から軸方向に移動するのを防ぐようにハウジングの孔に設けられ得る保持装置と、
前記ハウジングの第２の端に形成され、ハウジングを第２の導管に回転不可能に固定するためにこの第２の導管の内面と係合可能なようにされた、軸方向の、径方向外方に延びた少なくとも１つのリブとを具備するクイックコネクタ。
【請求項２７】
ハウジングの第１の端に形成された少なくとも１つの環状枝羽根部を更に具備し、また、
前記リブは、この少なくとも１つの枝羽根部から角度をなして延びている、求項２６のクイックコネクタ。
【請求項２８】
第１の端の近くに外フランジを有する第１の導管と、
この第１の導管の第１の端を受けるように、対向した第１及び第２の端の間に延びた第１の軸方向の孔を備えたハウジングと、
第１の導管がハウジング内の第１の軸方向の孔から軸方向に移動するのを防ぐようにハウジングの第１の軸方向の孔に設けられ得る保持装置とを具備し、
前記ハウジングの一端は、径方向外方に延びた突出部を有し、更に、
スムーズな外面と貫通孔とを有し、前記ハウジングの第２の端全体に渡って第２の導管を案内する円錐状のキャップと、
このキャップをハウジングに固定させるようにハウジングの突出部と係合可能な、キャップスナップの内側に形成された凹部とを具備するクイックコネクタ。
【発明の詳細な説明】
【０００１】
【発明の属する技術分野】
本発明は、一般に、コネクタ部材を結合させる流体クイックコネクタアッセンブリー、特に、１つのコネクタ部材をその他のコネクタ部材内でロックするための保持装置を有する流体クイックコネクタに関する。
【０００２】
【従来の技術】
スナップフィットもしくはクイックコネクタは、幅広い応用例において、特に流体運搬導管を自動かつ工業のための応用例内に結合させるために、用いられる。軸方向に移動可能な保持装置を備えた典型的なクイックコネクタでは、保持装置は、１つのコネクタ部品もしくは部材のハウジングのボア内に、固定して設けられている。保持装置は、ハウジング内の孔の軸方向の中心線に向けて内方に延びた複数の径方向及び鋭角に延びた脚部を有する。ハウジング内の孔にシールするように設けられた管もしくは導管は、保持装置の脚部の内周面に当接する、径方向の起立部分もしくはフランジを有する。軸受部もしくは上ハットと同様に、シール及びスペーサ部材は、典型的には、導管が保持装置の脚部とロックするように係合されるときにハウジングと導管との間にシールを形成するように、保持装置の前の孔中に設けられている。
【０００３】
保持装置がハウジング内の主要な貫通孔に対して横方向に形成された整列された孔もしくは孔を通って径方向に移動可能な、保持装置がまた、公知である。径方向に移動可能な保持装置には、典型的には、導管がハウジング内の孔に十分に座らされているときにのみ導管上の径方向の起立部分もしくはフランジの後ろで摺動するような大きさ及び位置付けにされた１対の付随的な脚部が設けられている。これは、導管がハウジングの孔中に十分に挿入されたときにのみ径方向に移動可能な保持装置がハウジング中に十分に挿入されることから、十分に座らされていることを示すだけでなく、導管のハウジングとのポジティブなロック係合を確実にする。
【０００４】
保持装置のタイプには関係なく、典型的には、ハウジングは、第１の端から離れたところに１以上の環状枝羽根部を備えた細長いステムを有する。枝羽根部は、枝羽根部においてハウジングを導管の一端と接続させるように強いられるホースもしくは導管との安定した係合を与える。
【０００５】
【発明が解決しようとする課題】
導管とハウジングとの間の安定した係合によって、軸方向に移動可能な保持装置もしくは、径方向に移動可能な保持装置を受けるようにデザインされたハウジング内の横方向の孔と共にデザインされた流体コネクタのハウジング内の軸方向の貫通孔の開端が、管とハウジングとが結合されている際の管とハウジングとの位置に応じて、一周縁位置に取り付けられる。所定の応用例では、これは、特に放射状の保持装置の場合には、保持装置をハウジング中に挿入するためのアクセスを制限し、こうした挿入を困難にする。周囲の部材による邪魔が、多くの場合、ロックもしくは解放動作のいずれかのためのクイックコネクタへのアクセスを、不可能ではないにしても、困難にする。
【０００６】
かくして、クイックコネクタ中への保持装置の挿入の容易さに関連して、先に考案されたクイックコネクタが有する問題を克服する流体クイックコネクタを提供し、もう一方で、導管とクイックコネクタとの間のシール及びロック係合において、流体クイックコネクタに必要とされる条件を全て与えることが望ましい。また、現行の照明されたクイックコネクタのデザインに対して大きな改良を必要とせずに上述の利点を果たすような流体クイックコネクタを提供することが望ましい。また、保持装置のクイックコネクタへの挿入もしくはこれからの取り外しを助けるように３６０°に渡って容易に回転可能な流体クイックコネクタを提供することが望ましい。
【０００７】
【課題を解決するための手段】
本発明は、クイックコネクタを部分的に受ける保持装置が、保持装置のクイックコネクタハウジングへの挿入もしくはこれからの取り外しのための、保持装置もしくはクイックコネクタを部分的に受ける保持装置への容易なアクセスを助けるように３６０°の範囲に渡って回転され、スウィベル可能な、第１及び第２の導管を流体連通するように結合するためのクイックコネクタである。
【０００８】
本発明の１態様では、本発明のクイックコネクタは、第１の導管の第１の端を受ける第１の孔の部分を有する貫通孔を備えた第１のハウジングを具備する。シール部材が、第１のハウジングを第１の導管の第１の端にシールするために第１の孔の部分内に設けられている。第２のハウジングは、第１のハウジングに、回転可能かつ軸方向に移動不可能なように接続されている。第２のハウジングは、第１の導管が受けられるように通る貫通孔を有する。保持装置は、第１の導管を第１のハウジングにロックして結合するために、第２のハウジング内に設けられ得る。
【０００９】
本発明の特別な態様では、第１のハウジングは、第２のハウジングの一端の環状肩部もしくはフランジの近くに回転可能なように位置された大きくされた端フランジを有する。第１のハウジングの主要な範囲の部分が、第２のハウジングの一端内の孔を通って突出している。１つのバージョンでは、第１のハウジングは、フランジが肩部と係合するまで、第２のハウジングの第１の端を通って挿入される。他のバージョンでは、大きくされたフランジ及び第１のハウジングの端には、大きくされたフランジが第２のハウジングの端の環状肩部を過ぎた後に名目上の直径まで径方向外方にスナップするまで、第２のハウジングの開かれた第２の端を通して挿入するために、端フランジの一部分と第１のハウジングの近接部とを径方向内方に曲がるようにする複数のスロットが設けられる。
【００１０】
第１及び第２のハウジングは、硬い部材もしくは第１のハウジング内の孔に配置された上ハットによって、回転可能な位置に支持される。１つの態様では、上ハットは、この上ハットを第２のハウジングに固定的にラッチして第１のハウジングの大きくされたフランジを上ハットのフランジと第２のハウジング内の肩部との間に回転可能なようにトラップするために第２のハウジングの端内に形成された孔と係合する先端にフックもしくは突出部を備えた１以上の軸方向に突出する脚部を有する。他の態様では、上ハットの大きくされたフランジは、第２のハウジング荷ロックされるように圧入される。
【００１１】
本発明の他の態様では、硬い部材もしくは上ハットが、第１の導管の大きくされたフランジを受けるような大きさにされ、一端から延びた環状凹部を有する。これは、第１の導管のフランジを、第２のハウジングを通った横方向の孔の軸方向の前に位置させ、かくして、保持装置が、第１の導管の第１のハウジングからの軸方向への分離を防ぐように、第１の導管のフランジと係合する一般に平らな端面と共に形成され得るようにする。
【００１２】
本発明の他の態様では、ウェブが、ハウジング内に横方向の孔を形成する大きな孔の一方の中に形成され、大きな孔を、保持装置の側脚部の一方の端部を夫々受ける２つの小さい孔に分ける。ウェブは、過度の曲げによって引き起こされる保持装置への損傷を防ぐように、保持装置を取り外す間の保持装置の側脚部の端部の径方向内方の曲げを制限する。同時に、ウェブは、保持装置の名目上の挿入及び動作の邪魔をしない。
【００１３】
本発明の二重ハウジングアッセンブリーもしくは単一ハウジングと共に使用され得る、本発明の他の態様では、１つのハウジングのチップ端には、ハウジング上に設けられる可撓性導管の内面と強制的に係合する、複数の径方向外方に延びた突出部もしくはリブが設けられている。突出部は、可撓性導管とハウジングと間の回転を防ぐ。こうした回転は、可撓性導管とハウジングとの間の通路の漏れ並びに／もしくはハウジングからの可撓性導管の分離を招く可能性がある。
【００１４】
他の態様では、キャップが、ハウジングのチップ端と可撓性導管とのスムーズな接続を助けるように、ハウジングのチップ端に設けられている。キャップは、ハウジングに設けられたキャップをスナップするために、共働する突出部と、キャップの孔とハウジングのチップ端上とに形成された凹部とを有する。
【００１５】
本発明の回転可能なクイックコネクタは、解放可能なように設けられ得る保持装置を組み入れ、クイックコネクタの使用位置が他の部材に近くされ、かくして、ハウジング内の保持装置の挿入もしくは取り外しのためのアクセスを制限する可能性がある、先にデザインされたクイックコネクタが多く直面する欠点を克服する。本発明のクイックコネクタは、回転可能なハウジング内に設けられる保持装置への容易なアクセスを助けるために、クイックコネクタのハウジングを受ける保持装置が３６０°の範囲に渡って回転され得るようにする回転可能なクイックコネクタハウジングアッセンブリーを、独自に提供する。しかし、また、回転可能な機構を備えたクイックコネクタは、これの中への導管の容易な挿入及び導管をクイックコネクタ内にロックする強い引き出し力（pullout force）の点で、標準的なクイックコネクタの機能と利点との全てを持っている。
【００１６】
本発明のクイックコネクタはまた、これまでに発明されたクイックコネクタより優れた他の利点を提供する。ハウジングアッセンブリー内に設けられた上ハットもまた、単一のハウジングを備えた従来のクイックコネクタにおいて使用可能であり、導管の大きくされたフランジを受けるための一端の環状凹部を有する。これは、保持装置が、ハウジング内の横方向の孔を通る挿入及び導管の大きくされたフランジとの係合のために、側脚部に一般に平らな端によって、単純に形成されるようにする。
【００１７】
【発明の実施の形態】
図１乃至３を参照すると、本発明の教示に係わって構成されたクイックコネクタ１０の一態様が示されている。
従来と同様に、クイックコネクタ１０は、第１の導管１２と第２の導管１４とを、スナップ接続によって、液密に、漏れに強く、シールされた接続状態でシール及びロックするように、かつ取り外し可能に相互連結させるようになっている。
【００１８】
典型的には、第１の導管１２は、金属で形成されており、一端に、テーパー付けされた端即ちチップ（tip）１８を備えた端部と貫通孔２０と、チップ端１８から離間され、大きくされた環状フランジ２２とを有する。
典型的には、第２の導管１４は、プラスチック、即ちナイロンのような可撓性の材料で形成されている。この導管１４は、以下に説明されるように、クイックコネクタ１０を通るように延びた孔と第１の導管１２内の孔２０とに連通する内孔を有する。
【００１９】
クイックコネクタ１０は、軸方向に延びた貫通孔を対向した端の間に与えるように、軸方向に互いに接続される第１のハウジング２６と第２のハウジング２８とを有する。
第１のハウジング２６は、一体成形の本体、好ましくは強い強度を有するプラスチックでできており、一端の起立環状フランジ３０によって段差が形成された外面と、フランジ３０から延びた大きい直径の部分３２と、これより直径が小さい中間の直径の部分３４と、この中間の直径の部分３４から第１のハウジング２６の他端に形成された環状フランジ３８へと延びたネックダウン部（neck-down portion）即ちステム３６とを有する。少なくとも１つ、好ましくは複数の長軸方向に離間された枝羽根部（barb）即ち突出部４０、４２が、この上に摺動可能なように付勢される第２の導管１４との固定的な係合のためにステム３６の外側に沿って形成されている。
【００２０】
本発明の一態様に係われば、単なる例として４つが使用されている、径方向に延びた複数のリブ４６が、ステム３６上で、第１のハウジング２６の枝羽根部４２と中間の直径の部分３４との間に形成されている。第２の導管１４が、これの名目上の直径へと縮むと、第１のハウジング２６の枝羽根部４２と中間の直径の部分３４との間に位置する少なくとも一端部上に縮むと、これらリブ４６は、第２の導管の内面と係合し、第１のハウジング２６と第２の導管１４との間の相対的な回転を防ぐように助ける。
【００２１】
スムーズに環状端部に接合している円錐状の端部を備え、キャップの形状のエンドフォーム中間部材５０が、第１のハウジング２６のステム３６の端部上を摺動可能なように設けられる。典型的にはＯ−リングの形状をしたシール部材５２が、キャップ５０の環状端部と枝羽根部４０との間に挿入される。インターフェースエンドフォーム（interface endform）、即ちキャップ５０の構造及び動作が、本発明の譲受人に譲渡された米国特許出願番号０９／３０９、９７９号に詳しく示されている。この先願の出願の全体の内容は、参照して本明細書に組み入れられる。
【００２２】
本発明の独自の態様に係われば、キャップ５０には、このキャップ５０の環状端部の端面から距離を置いたところに内側環状凹部５１が設けられている。この凹部５１は、キャップ５０を第１のハウジング２６上に維持するのを助けるように第１のハウジング２６の鼻部３６の端の環状フランジ３８と係合するような大きさにされている。キャップ５０のためのこのスナップオン機構の使用は、好ましくは、プラスチックでできた第１のハウジング２６を用いられる。
【００２３】
前記第２のハウジング２８は、例えば、ナイロンなどの強い強度のプラスチックでできた一体成形の単一の本体で好ましくは形成されている。第２のハウジング２８は、第１の環状リング部材６０と、第２の環状リング部材６２とを有する。これら第１の環状リング部材６０と第２の環状リング部材６２とは、互いに離間され、第１のリング部材６０と第２のリング部材６２の周辺端部（peripheral edges）の間に延びた１対の側脚部６４、６６によって相互連結されている。ノッチ６７が、以下に説明されるように、保持装置内の相互連結突出部を受けるように、側脚部６４、６６の各々の一端に沿って形成されている。好ましくは、これら側脚部６４、６６は、互いに平行であり、第１のリング部材６０、第２のリング部材６２と関連して、横方向に開いた孔６８、７０を規定している。横方向に延びた孔６８、７０は、第１のリング部材６０内の第１の孔から第２のリング部材６２内の第２の孔へと第２のハウジング２８を通って長手方向に延びた貫通孔と連通している。
【００２４】
内溝６５が、各側脚部６４、６６の内面に沿って形成されている。これら溝６５は、図１０に示されるように、リング部材６０、６２を通って続いている。    本発明の独自の機構に係われば、第１のハウジング２６と第２のハウジング２８とは、スウィベル可能に、即ち、回転可能に接続される。第１のハウジング２６と第２のハウジング２８との回転可能な接続部は、第２のハウジング２８内の第１のリング部材６０の内部に形成された環状凹部８０と、第１のハウジング２６の大きくされた端フランジ３０と、上ハット８４の環状フランジ８２との相互作用によって与えられる。
【００２５】
前記上ハット８４は、フランジ８２から突出した環状スリーブ８６を備え、典型的には堅いプラスチックでできた一体成形部材の形をしている。貫通孔８８が、第１の導管１２の端部を収容し、第１の導管１２のチップ端１８を図３に示されるように摺動可能に通すように、スリーブ８６とフランジ８２とを貫通して延びている。
【００２６】
図３を参照すると、上ハット８４のスリーブ８６の端面９０は、１つのＯ−リング９２、環状スペーサ９４並びに他のＯ−リング９６を含む複数のシール部材及びスペーサ部材を、第１の大きい直径の孔の部分と、第１のハウジング２６を通って延びた段差のある孔の一部を形成する第２の小さい直径の孔の部分１０３との間に形成された肩部９８の近くに支持している。また、この段差のある孔は、ステム３６を通って第１のハウジング２６の一端の環状フランジ３８まで延びた第３の更に小さな直径を有する孔１０５を更に有する。
【００２７】
また、図３に示されるように、前記シール部材９２、９６及びスペーサ部材９４は、第１の導管１２のチップ端１８が上ハット８４を通って、第１のハウジング２６内の段差のある孔中に挿入されたときに、第１の導管１２の外面と、これをシールを保って係合する。上ハット８４のスリーブ８６を貫通して形成された孔８８は、第１の導管１２の端部に対する支持面として働く。
【００２８】
本発明の一態様において、前記上ハット８４は、各々が突出端、即ちフック１０２で終端した１対の脚部１００によって、第１のハウジング２６内の所定の位置にロックされて支持されている。各脚部１００のフック１０２は、図１、２に示されるように、第２のハウジング２８の第１のリング６０の壁部分中に形成された開口１０４を通るように摺動する。上ハット８４の脚部１００は、各脚部１００の端のフック１０２が第２のハウジング２８のリング部材６０の各孔１０４と整列するように、第２のハウジング２８の側脚部６４、６６内の長手方向に延びた溝６５を通るように摺動可能である。フック１０２は、図３に示された位置に上ハット８４をロックするように、第２のハウジング２８のリング部材６０の端面の周囲とスナップ係合する。
【００２９】
この位置では、上ハット８４は、第１のハウジング２６の環状フランジ３０から少しの間隙だけ離れているが、近くに配置されている。図２、３に示されるように、第１のハウジング２６の環状フランジ３０は、第２のハウジング２８のリング部材６０内の環状凹部８０内に配置されている。これは、第１のハウジング２６と第２のハウジング２８とを、相対的に回転可能にしている。この結果、第２のハウジング２８は、保持装置１１０を第２のハウジング２８の横方向の孔６８、７０から取り外すかこれの中に挿入するために、第１の導管１２と、第２の導管１４を有する第２のハウジングとの両方を中心として３６０°の範囲に渡って回転され得る。
【００３０】
前記保持装置１１０は、米国特許５、５４２、７１６号、５、７３０、４８１号、５、７８２、５０２号、５、８６３、０７７号、５、９５１、０６３号に示されたような、様々の形状の保持装置のうちの１つで、クイックコネクタ１０に使用され得る。この保持装置１１０は、保持装置１１０が第２のハウジング２８中に脚部から先に挿入されるのに従って保持装置１１０の脚部１１２、１１４が第１の導管１２の露出された端部の両側に沿って通るように、第２のハウジング２８の横方向の孔６８、７０内に受けられる。図２に示されるように、保持装置１１０の脚部１１２、１１４は、中間部即ち湾曲部（bight）１１６の両側から第１の方向へ夫々延びている。
【００３１】
各脚部１１２、１１４は、保持装置１１０が第２のハウジング２８中に十分に挿入されたときに、第１の導管１２の起立ビード、即ちフランジ２２の一側に軸方向で対向するか、好ましくは軸方向で係合する“ロック”面を規定する内端１１８を有する。このように、保持装置の各脚部１１２、１１４上のロック面１１８は、第２のハウジング２８の軸孔から起立ビード（upset bead）２２が軸方向に移動するのを防ぐように働く。
【００３２】
各脚部１１２、１１４の片持ち部１２０は、他方の脚部１１４もしくは１１２に面した、径方向に配置されて弾力的に曲がり得る表面を規定している。これら対向した径方向の表面１２０は、保持装置１１０が第２のハウジング２８中に十分に挿入されると、第１の導管１２の露出された長手方向の端部とこれに干渉するように係合し、かくして、保持装置１１０は第１の導管１２にロックされ得る。
【００３３】
外方に延びた１対の突出部もしくは端１２４が、各脚部１１２、１１４の底部に形成されている。突出部１２４は、保持装置１１０を、図１に示されるように、これが第２のハウジング内に十分に挿入された位置でロックするために、横方向の孔７０を通って延び、第２のハウジング２８のリング部材６０、６２の外面の周りをスナップするように考案されている。また、突出部１２４は、図１０に示されたように、保持装置１１０を部分的に挿入された積荷位置で一時的にロックするように、第２のハウジング２８の側脚部６４、６６の内面上の溝６５と係合する。
【００３４】
コネクタ１０を組立てるとき、第１のハウジング２６は、この第１のハウジング２６の一方のフランジ３０の一端が、リング部材６０内の凹部８０によって形成された肩部と係合するまで、第２のハウジング２８のリング部材６２内の孔７０と、リング部材６０内の孔６８とを通って、第１の方向に摺動可能なように挿入される。続いて、Ｏ−リング９２、９６とスペーサ９４とが、第１のハウジング２６の大きくされた部分３２内の第１の孔１０１中に挿入される。次に、上ハット８４のスリーブ８６が、フランジ８２が第１のハウジング２６のフランジ３０の近くに位置されるまで、第１のハウジング２６内の第１の孔の部分１０１を通って挿入される。ここで、上ハット８４の脚部１００のフック１０２が、孔１０４を通って摺動し、リング部材６０の端面の周りでスナップして上ハット８４を第２のハウジング２８にロックする。
【００３５】
次に、第１の導管１２は、図３に示されるように、上ハット８４内の孔８８を通って、Ｏ−リング９２、９６、スペーサ９４を過ぎて、第１のハウジング２６内の第２の孔の部分１０３中に挿入され得る。第１の導管１２は、第１のハウジング２６中に第１の導管１２が十分に挿入された位置を示す上ハット８４の近くの位置に環状フランジ２２が配置されるまで、第１のハウジング２６中に挿入される。
【００３６】
次に、保持装置１１０は、第１の導管１２を第１のハウジング２６内にロックするように、積荷位置から第２のハウジング２８内の横方向の孔６８、７０中に押され、もう一方では、第１のハウジング２６と第２のハウジング２８との、互いに対する独立した回転を可能にする。
【００３７】
図２を参照すると、例えば、保持装置１１６の一方の脚部１１２は、フラップ１２２をこれの自由端で規定するように延びている。ロックフラップ１２２は、好ましくは、一体丁番（living hinge）もしくは厚さが減じられた同様の橋部材によって脚部１１２の他方（rest）から分かれている。このように、ロックフラップ１２２は、効果的には、保持装置１１０と一体形成されている。しかし、一体的に形成されたヒンジもしくは別の接合部材のどちらかを使用して脚部１１２もしくは１１４のどちらか一方とこの後にヒンジによって相互連結される、例えば別にモールド成形されたフラップ部材の使用が、可能であることも、理解されるだろう。
【００３８】
ロックフラップ１２２は、他の脚部１１４の自由端と連結係合するように一体丁番でピボット旋回を可能にされ、これは、脚部１１４の内部の傾斜されたロック用突出部の、ロックフラップ１２２内で脚部１１２の自由端の近くに形成された相補的なスロットとの連結係合によって保持装置１１０内で果たされる。
【００３９】
ロックフラップ１２２が、上述されたようなこれ自身の脚部１１２だけでなく他の脚部１１４と連結係合するように、軸を中心にピボット旋回されるとき、ロックフラップ１２２の表面が、第２のハウジング２８の軸方向の孔に座らされた第１の導管の起立ビード２２に軸方向に対向するように、好ましくは、これと軸方向に係合するようにされる。かくして、ロックフラップ１２２は、これの、湾曲部１１６のロック面１１８によって軸方向に係合された周側端部に対向したこれの周側端に沿って起立ビード２２と軸方向に係合する。起立ビード２２の周縁部が、各脚部１１２、１１４のロック面１１８によって軸方向に係合されるのに加えて、クイックコネクタ１０が、起立ビード２２のほぼ相称的な軸方向の係合を与え、もう一方で、結果的に生じた接続部の漏れもしくは構造的な欠陥を引き起こす有害な曲げモーメントを生じないようにすることが、理解されるだろう。
【００４０】
保持装置１１０の構造に関する更なる詳細は、米国特許５、７８２、５０２号を参照して示され、これの全体の内容が、参照して本明細書に組み入れられる。
【００４１】
本発明のコネクタ１０の第１のハウジング２６及び第２のハウジング２８は、米国特許５、５４２、７１６号、５、９５１、０６３号に示された他のタイプの径方向に移動可能な保持装置と共に使用され得ることが、理解されるだろう。
【００４２】
更に、クイックコネクタの２つの部分の間の回転可能な接続部は、また、米国特許５、５４２、７１２号、５、４５６、６００号に示された軸方向に移動可能な保持装置を有するクイックコネクタにも適用され得る。また、本発明の特徴は、例えば米国特許５、８７３、６１０号、５、５６８、９４６号に示されたいわゆる“圧搾―開放（squeeze-to-release）”コネクタを適用し得る点である。
【００４３】
図４、５、６を参照すると、改良されたステムもしくは端部１２８を備えた第１のハウジング１２６を有する、クイックコネクタ１０に類似したクイックコネクタ１０が示されている。第１のハウジング１２６は、これ自身がステンレススチールのような金属材料で形成されるように助ける。ステム１２８は、図示されていない第２の導管１４の一端と係合する第１の端部１３２から離れたところに一般に丸くされた係合部１３０を有する。また、キャップ５０に類似し、Ｏ−リング５２を有し、環状の内側凹部５１を有さないキャップが、第１のハウジング１２６と共に用いられ得る。
【００４４】
あるいは、図４乃至６に示されたクイックコネクタ１０の構造、組立て、動作は、上述されたものと同じであり、このコネクタは、第２のハウジング２８と、第１の導管１２を受ける上ハット８４とを有する。
図７乃至１０を参照すると、本発明の教示に係わって構成されたクイックコネクタの他の態様が示されている。図７乃至１０に示されたクイックコネクタ１４０は、上述されて図１乃至６に示されたクイックコネクタ１０と同じ部材を幾つか有している。しかし、クイックコネクタ１０は、この後詳しく説明される幾つかの改良点を有していない。クイックコネクタ１０内の同様の部材と等しいクイックコネクタ１４０の同様の部材は、このような部材の先の説明を参照して、僅かに説明されるのみである。
【００４５】
本発明のこの態様に係われば、第１のハウジング１４２は、これを通って、第１のハウジング１４２の大きくされた端部の大きい直径の孔の部分から、また、第１のハウジング１４２の中間部１４６内の第２の小さい直径の孔の部分を通って、第２のハウジング１４２の第３の部分１４８を通って延びた第３の更に小さい直径の端部まで延びた、段差のある孔を有する。第１のハウジング１４２は９０°のＬ字型の形状を有するとして示されているが、第１のハウジング１４２は、４５°のＬ字型形状などだけでなく、第１のハウジング２６の場合に関連して上述されたのと同様の、従来の軸方向のインラインハウジングのような他の形状も有し得ることが、理解されるだろう。かくして、本発明のこの態様のクイックコネクタ１４０は、第１のハウジング１４２が、第１の導管１２の第１のハウジング２６中への挿入の方向とは反対方向へ、そして、コネクタ１０に関する摺動接続というよりはむしろ第１のハウジング１４２と第２のハウジング２８との間でスナップイン接続されるように、第２のハウジング２８中に摺動されて挿入されるのに基づいているという点で、先行技術のコネクタ１０とは異なっている。
【００４６】
第１のハウジング１４２と第２のハウジング２８との接続の間、フランジ１５０の周端は、まず、第２のハウジング２８のリング部材６０内の孔の端部と係合する。これは、フランジ１５０がリング部材６０内に形成された凹部１０６に入るまで、フランジ１５０と、第１のハウジング１４２の第１の端部１４４との軸方向内方への圧縮を生じる。続いて、フランジ１５０は、第２のハウジング２８内の第１のハウジング１４２を、径方向外方にロックするようにスナップし、これが挿入方向とは反対の方向へ径方向に解放されるのを防ぐ。
【００４７】
Ｏ−リング９２、９６とスペーサ９４とは、第１のハウジング１４２が第２のハウジング２８中に挿入される前に、第１のハウジング１４２内で予め組立てられ得ることに、注意しなくてはならない。また、フランジ１５０は、第２のハウジング２８内の凹部１０６内で３６０°回転され得ることを、理解しなくてはならない。
【００４８】
上ハット１５４が、大きくされた端フランジ１５６と、これから突出した小さい直径のスリーブ１５８とを有する。スリーブ１５８の外径は、Ｏ−リング９６と係合して、Ｏ−リング９２、９６とスペーサ９４とを第１のハウジング１４２の第１の孔の部分内の所定位置に保持するように、図９に示されるように第１のハウジング１４２の第１の端部１４４の第１の孔の部分を摺動するような大きさにされている。
【００４９】
この位置では、上ハット１５４のフランジ１５６とスリーブ１５８との間に形成された肩部１６０が、これらの間の小さな間隙によって、第１のハウジング１４２のフランジ１５０の端面の近くに配置され、フランジ１５０を、肩部１６０と、凹部１０６の近くの、リング部材６０の内端との間に、回転可能なようにトラップする。上ハット１５４のフランジ１５６は、図９に示されるように、第２のハウジング２８のリング部材６０内に形成された孔１０６との締まりばめを有するような寸法にされている。この締まりばめは、フランジ１５６の適当な大きさにされた外径によって、もしくは、フランジ１５６の周側端の周囲に配置された、径方向外方に突出した変形可能なリブ１６２によって、与えられ得る。リブ１６２は、第２のハウジング２８内のリング部材６０の内面と係合し、上ハット１５４を、第１のハウジング１４２のフランジ１５０から小さな間隙によって離れた第２のハウジング２８内の所定位置に圧入させるように変形する。かくして、第１のハウジング１４２は、上ハット１５４と第２のハウジング２８内の凹部１０６との相互作用によって、第２のハウジング２８内にトラップされ、更に、３６０°回転し得る。これは、第２のハウジング２８内の横方向の孔６８、７０が、保持装置１６６をこれへ挿入もしくはこれから取り外しするために容易なアクセスを可能にする所定の位置まで回転されるのを、可能にする。
【００５０】
図８に示され、上述された保持装置１６６と上ハット１５４との機構は、第１の導管１２のフランジ２２を上ハット１５４内に位置させるために、図１乃至６に示されたクイックコネクタ１０に適用され得る。
【００５１】
図９、１０では、上ハット１５４のフランジ１５６の端部には環状凹部１６４が設けられていることに、注意しなくてはならない。凹部１６４の外径と深度とは、第１の導管１２上環状フランジ２２を、図７、９に示されているように、結合された第１のハウジング１４２と第２のハウジング２８との中に第１の導管１２が十分に挿入された位置に受けることができるような大きさにされている。
【００５２】
保持装置１６６は、中央枝羽根部１７２による１対の脚部１６８、１７０を有する米国特許５、７３０、４８１号に示された保持装置と同じである。内方に延びた突出部１７４、１７６は、隣接した脚部１６８、１７０から移動可能なように離間された自由端を有し、第１の導管１２が第２のハウジング２８中に十分に挿入されるときにのみ第１の導管１２の円筒部の周囲に摺動可能に係合し、適合するような寸法にされている。外方に延びた突出部１７８、１８０は、各脚部１６８、１７０の傾斜部（lower portion）上に形成され、また、第２のハウジング２８の側脚部６４、６６内の溝６５の端を、図１０に詳しく示された部分的に挿入された積荷位置に係合させるか、もしくは、側脚部６４、６６の傾斜端を、十分に挿入された位置に係合させて、第１の導管１２を、結合された第１のハウジング１４２と第２のハウジング２８との中にロックするように、考案されている。
【００５３】
本発明のこの態様において、保持装置１６６は、第１の導管１２が第１のハウジング１４２と第２のハウジング２８との中に十分に挿入されると第１の導管１２の大きくされたフランジ２２の側面と係合する表面を形成する切り込み部を有さない。むしろ、保持装置１６６の内部は、脚部１６８、１７０の側端と実質的に同じ高さである（flush with）。しかし、突出部１７４、１７６は、第１の導管１２が、大きくされたフランジ２２が突出部１７４、１７６によって干渉される位置にあることから第１のハウジング１４２中に十分に挿入されない場合、第２のハウジング２８中への保持装置１６６の十分な挿入を邪魔することが、理解されるだろう。
【００５４】
更に、上ハット１５４内の凹部１６４は、コネクタがただ１つの非回転ハウジングを有する先に挙げられた特許のような、他のクイックコネクタにも適用可能である。
コネクタ１４０の幾つかの独自の態様が、説明される。図８、１１に示されるように、ウェブもしくはフランジ１８６は、第１のハウジング２６内の、第１のリング部材６０と第２のリング部材６２との間に形成されている。フランジ１８６は、横方向の開口部７０を、参照符号１８８で示された２つの小さなスロットのような孔に分ける。各孔１８８は、保持装置１６６の側脚部１６８、１７０の傾斜端部を受けるが、保持装置１６６を第２のハウジング２８から取り外す間、脚部１６８、１７０の破損を引き起こし得る、側脚部１６８、１７０の傾斜端部の大きな径方向内方への曲げを防ぐ。
【００５５】
また、ウェブ１８６は、上述された特許に示されたような他のコネクタにおいても用いられ得る。
図１０は、第２のハウジング２８の側脚部６４、６６の各々に形成された長手方向に延びた内溝６５を示す。溝６５は、保持装置１６６を、図１０に示された部分的に挿入された積荷位置に保持するように、スナップイン接続された保持装置１６６の側脚部１６６、１７０の突出部１７８、１８０を受ける。
【００５６】
保持装置１６６は、第１の導管１２を結合された第１のハウジング１４２と第２のハウジング２８との中に挿入する間保持装置１６６が滞在するこの積荷位置内に、滞在することになる。第１の導管１２が第１のハウジング１４２中に十分に挿入された後にのみ、保持装置１６６は、上述されたように第２のハウジング２８内の横方向の孔７０を通って十分に挿入され得る。
【００５７】
最後に、図７、１２に示されるように、コネクタ１４０は、径方向内方に延びた突出部１９０が第２のハウジング２８の一端の近くに形成されているという独自の指標特性を与えられている。突出部１９０は、この突出部１９０の曲げを可能にする切り込み側端１９２を有する。
突出部１９０は、第１のハウジング１４２が上述されたように第２のハウジング２８内に回転可能に設けられているとき、第１のハウジング１４２内の任意のスロット１５２と係合するように位置されている。このように、第１のハウジング１４２と第２のハウジング２８のうち一方は、突出部１９０がスロット１５２の一方と係合するまで、他方に対して回転可能である。第１のハウジング１４２と第２のハウジング２８のどちらかの持続された回転は、突出部１９０を、径方向外方に曲げさせ、かくして、スロット１５２の一方から解放し、そして、突出部１９２を、突出部１９０が次の周囲の近接したスロット１５２に到達してこれの中にスナップするまで、第１のハウジング１４２の第１の端部１４４の外面に沿って摺動可能にする。これは、第１のハウジング１４２と第２のハウジング２８との相対的な鋭角位置（relative angular position）に取り付けるために、取り付け者に触感を与える。
【００５８】
スロット１５２と突出部１９０とは、同様の効果によって、第１のハウジング１４２と第２のハウジング２８とにおいて逆にされ得る。
要約すると、２つの回転可能なように相互連結された、軸方向に移動不可能なハウジングを備え、これらハウジングの一方は、他のハウジングの一部分にシールするように設けられたシールされた導管と流体連通するように第１の導管を結合されたハウジングの部分にロックして接続するように保持装置を受ける、独自の回転可能なクイックコネクタが開示されている。この装置は、ハウジングからの保持装置の挿入もしくは取り外しのためにより便利な位置へと回転されるように保持装置を受けるハウジングを、可能にする。本発明の回転可能な態様は、多くの様々のクイックコネクタ装置に適用され得る。
【００５９】
本発明は、様々の態様において、管とハウジングとの間の回転を防ぐように、設けられる可撓性導管の内面と強制的に係合可能である、１つのハウジングのチップ端に形成された複数のリブもしくは突出部を有する。
本発明の他の態様においては、スムーズに湾曲されたもしくは円錐状の形状の外端面を有するキャップは、相互連結フランジと、第１のハウジングのチップ端の上と、キャップ内の内孔中とに形成された凹部とによって、第１のハウジングのチップ端の上に固定的に設けられ得る。キャップは、第１のハウジングのチップ端と可撓性の管もしくは導管との容易な摺動相互連結を助ける。
【００６０】
他の態様では、ウェブは、孔を、保持装置の一側脚部の一端部を夫々受ける２つの小さな孔に分けるために、１つのハウジング内の横方向の孔の一方の中に形成されている。ウェブは、除去力が、保持装置を第１のハウジングから解放するように側脚部上に発生される間、保持装置の側脚部の端部の径方向内方への動きを制限する。これは、保持装置に対する可能な損傷を防ぐが、ハウジング内の名目上の挿入位置と保持位置との間の保持装置の動きは邪魔しない。
【００６１】
最後に、本発明の更なる態様では、上ハットは、１つのハウジングの段差のある孔の少なくとも１つのシール部材に沿って設けられている。上ハットは、第１の導管の大きくされたフランジを受ける端の凹部を有する。このように、保持装置には、第１の導管の第１のハウジングからの軸方向の分離を防ぐために、第１の導管上のフランジを係合するように、平らな側面が形成され得る。
【図面の簡単な説明】
【図１】  図１は、本発明の一態様に係わる、組立てられた回転可能なクイックコネクタの斜視図である。
【図２】  図２は、図１に示された回転可能なクイックコネクタの分解された斜視図である。
【図３】  図３は、図１に示された、組立てられた回転可能なクイックコネクタの長手方向の断面の斜視図である。
【図４】  図４は、本発明の他の態様に係わって組立てられた回転可能なクイックコネクタの斜視図である。
【図５】  図５は、図４に示された回転可能なクイックコネクタの分解された斜視図である。
【図６】  図６は、図４に示された回転可能なクイックコネクタの長軸方向の断面の斜視図である。
【図７】  図７は、組立てられた状態で示された本発明の他の態様に係わる回転可能なクイックコネクタの斜視図である。
【図８】  図８は、図７に示された回転可能なクイックコネクタの分解された斜視図である。
【図９】  図９は、図７に示された、組立てられたクイックコネクタの長軸方向の断面の斜視図である。
【図１０】  図１０は、積荷する状態で示された図７の回転可能なクイックコネクタの斜視図である。
【図１１】  図１１は、図７の組立てられたクイックコネクタの底からの図である。
【図１２】  図１２は、図７の組立てられたクイックコネクタの、部分的に断面が示された端面図である。
【図１】
0003723505.tif 000002
【図２】
0003723505.tif 000003
【図３】
0003723505.tif 000004
【図４】
0003723505.tif 000005
【図５】
0003723505.tif 000006
【図６】
0003723505.tif 000007
【図７】
0003723505.tif 000008
【図８】
0003723505.tif 000009
【図９】
0003723505.tif 000010
【図１０】
0003723505.tif 000011
【図１１】
0003723505.tif 000012
【図１２】
0003723505.tif 000013